(57)【要約】【課題】周回性導波路回折格子にて中継された光信号を電気信号に変換する受信手段の構成を複雑化したり、受信手段のセッティングに時間をかけたりすることなく、周回性導波路回折格子における光減衰量のばらつきによる影響を回避する。【解決手段】受信したパケット信号を光信号に変換して出力する波長可変レーザ・変調器２０−１〜２０−ｎと、パケット信号の宛先毎に光減衰量が異なり、波長可変レーザ・変調器２０−１〜２０−ｎから出力された光信号を中継する周回性導波路回折格子４０と、周回性導波路回折格子４０にて中継された光信号が入力され、入力された光信号を電気信号に変換して出力する受信器５０とを有し、波長可変レーザ・変調器２０−１〜２０−ｎが、周回性導波路回折格子４０にて中継された光信号の受信器５０への入力パワーが一定になるように、光減衰量に応じて光信号のパワーを制御する。【選択図】図１
2013005016.tif 000002
【特許請求の範囲】
【請求項１】
受信したパケット信号を光信号に変換して出力する光変換手段と、前記パケット信号の宛先毎に光減衰量が異なり、前記光変換手段から出力された光信号を中継する周回性導波路回折格子と、前記周回性導波路回折格子にて中継された光信号が入力され、該光信号を電気信号に変換して出力する受信手段とを有する光波長スイッチにおいて、
前記周回性導波路回折格子にて中継された光信号の前記受信手段への入力パワーが一定になるように、前記光減衰量に応じて前記光信号のパワーを制御するパワー制御手段を有することを特徴とする光波長スイッチ。
【請求項２】
請求項１に記載の光波長スイッチにおいて、
前記パワー制御手段は、前記周回性導波路回折格子の前段に設けられている光波長スイッチ。
【請求項３】
請求項２に記載の光波長スイッチにおいて、
前記パワー制御手段は、前記光変換手段に内蔵されている光波長スイッチ。
【請求項４】
請求項１に記載の光波長スイッチにおいて、
前記パワー制御手段は、前記周回性導波路回折格子の後段に設けられている光波長スイッチ。
【請求項５】
受信したパケット信号を光信号に変換して出力する光変換手段と、前記パケット信号の宛先毎に光減衰量が異なり、前記光変換手段から出力された光信号を中継する周回性導波路回折格子と、前記周回性導波路回折格子にて中継された光信号が入力され、該光信号を電気信号に変換して出力する受信手段とを有する光波長スイッチにおいて、
前記受信手段は、予め通知された、前記周回性導波路回折格子にて中継された光信号の当該受信手段への入力レベルに応じて前記電気信号の出力レベルを一定とするためのパラメータを設定しておき、該パラメータを用いて、前記周回性導波路回折格子にて中継された光信号を電気信号に変換する可変制御手段を有することを特徴とする光波長スイッチ。
【請求項６】
受信したパケット信号を光信号に変換して出力する光変換手段と、前記パケット信号の宛先毎に光減衰量が異なり、前記光変換手段から出力された光信号を中継する周回性導波路回折格子と、前記周回性導波路回折格子にて中継された光信号が入力され、該光信号を電気信号に変換して出力する受信手段とを有する光波長スイッチにおけるパケット中継方法であって、
前記周回性導波路回折格子にて中継された光信号の前記受信手段への入力パワーが一定になるように、前記光減衰量に応じて前記光信号のパワーを制御するパケット中継方法。
【請求項７】
受信したパケット信号を光信号に変換して出力する光変換手段と、前記パケット信号の宛先毎に光減衰量が異なり、前記光変換手段から出力された光信号を中継する周回性導波路回折格子と、前記周回性導波路回折格子にて中継された光信号が入力され、該光信号を電気信号に変換して出力する受信手段とを有する光波長スイッチにおけるパケット中継方法であって、
前記受信手段が、予め通知された、前記周回性導波路回折格子にて中継された光信号の当該受信手段への入力レベルに応じて前記電気信号の出力レベルを一定とするためのパラメータを設定しておき、該パラメータを用いて、前記周回性導波路回折格子にて中継された光信号を電気信号に変換するパケット中継方法。
【発明の詳細な説明】
【技術分野】
【０００１】
本発明は、光アクセスシステムに用いられる光波長スイッチに関し、特に、周回性導波路回折格子における光減衰量のばらつきによる影響を回避する技術に関する。
【背景技術】
【０００２】
近年、伝送される情報量の急速な増加に伴い、光波長スイッチを用いてパケット信号を中継することが行われている。
【０００３】
図５は、一般的な光波長スイッチの構成例を示すブロック図であり、（ａ）は全体の構成を示す図、（ｂ）は（ａ）に示した受信器５５０の構成を示す図である。
【０００４】
本例は図５（ａ）に示すように、送信されてくる電気信号によるパケット信号をその宛先毎に受信するバッファ５１０−１〜５１０−ｎと、バッファ５１０−１〜５１０−ｎのそれぞれに対応して設けられ、バッファ５１０−１〜５１０−ｎに一時蓄積されて出力されたパケット信号を、その宛先に応じた波長を有する光信号に変換して出力する波長可変レーザ・変換器５２０−１〜５２０−ｎと、パケット信号の宛先と波長とが対応づけられた宛先・波長テーブル５３１に基づいて、波長可変レーザ・変換器５２０−１〜５２０−ｎに対して波長制御パラメータを与える制御部５３０と、波長可変レーザ・変換器５２０−１〜５２０−ｎから出力された光信号を中継する周回性導波路回折格子（ＡＷＧ：Arrayed-Waveguide Grating）５４０と、周回性導波路回折格子５４０にて中継された光信号が入力され、入力された光信号を電気信号に変換して出力する受信器５５０とから構成されている。
【０００５】
受信器５５０は図５（ｂ）に示すように、入力された光信号を電流値に変換して出力するフォトダイオード（ＰＤ：Photodiode）５５１と、フォトダイオード５５１から出力された電流値を電圧に変換して出力するトランスインピーダンスアンプ５５２と、トランスインピーダンスアンプ５５２から出力された電圧を増幅して出力するリミッタアンプ５５３とから構成されている。また、トランスインピーダンスアンプ５５２は、アンプ５５２ａと、可変抵抗５５２ｂと、レベル検出器５５２ｃと、自動利得制御器（ＡＧＣ：Auto Gain Control）５５２ｄとを有しており、また、リミッタアンプ５５３は、アンプ５５３ａと、自動閾値電圧制御器（ＡＯＣ：Auto Offset Compensation）５５３ｂと、レベル検出器５５３ｃとを有している。
【０００６】
上記のように構成された光波長スイッチ５０１において、電気信号によるパケット信号が受信され、このパケット信号が光信号に変換されて中継され、その後、中継された光信号が電気信号に変換されて出力されることになるが、周回性導波路回折格子５４０においては、パケット信号の宛先毎に光減衰量が異なるため、受信器５５０への光信号の入力レベルがばらついてしまう。
【０００７】
そこで、受信器５５０を上述したような構成とし、光信号のプリアンブルの受信中にその光信号の入力レベルを測定してフィードバック制御を行うことにより、光信号の入力レベルのばらつきを吸収している（例えば、非特許文献１参照）。
【先行技術文献】
【特許文献】
【０００８】
【非特許文献１】中村誠、楳田洋太郎、遠藤潤、赤津祐史、「ＰＯＮ用バースト電送対応光受信回路技術」、ＮＴＴジャーナル、２００６．７、ｐ．４６−４９
【発明の概要】
【発明が解決しようとする課題】
【０００９】
しかしながら、上述したように、入力された光信号を電気信号に変換する受信器にて光信号のプリアンブルの受信中にその光信号の入力レベルを測定してフィードバック制御を行うことにより光信号の入力レベルのばらつきを吸収する構成とした場合、受信器の構成が複雑になってしまうとともに、受信器のセッティングに時間がかかってしまうという問題点がある。
【００１０】
本発明は、上述したような技術が有する問題点に鑑みてなされたものであって、周回性導波路回折格子にて中継された光信号を電気信号に変換する受信手段の構成を複雑化したり、受信手段のセッティングに時間をかけたりすることなく、周回性導波路回折格子における光減衰量のばらつきによる影響を回避することができる、光波長スイッチ及びパケット中継方法を提供することを目的とする。
【課題を解決するための手段】
【００１１】
上記目的を達成するために本発明は、
受信したパケット信号を光信号に変換して出力する光変換手段と、前記パケット信号の宛先毎に光減衰量が異なり、前記光変換手段から出力された光信号を中継する周回性導波路回折格子と、前記周回性導波路回折格子にて中継された光信号が入力され、該光信号を電気信号に変換して出力する受信手段とを有する光波長スイッチにおいて、
前記周回性導波路回折格子にて中継された光信号の前記受信手段への入力パワーが一定になるように、前記光減衰量に応じて前記光信号のパワーを制御するパワー制御手段を有することを特徴とする。
【００１２】
また、受信したパケット信号を光信号に変換して出力する光変換手段と、前記パケット信号の宛先毎に光減衰量が異なり、前記光変換手段から出力された光信号を中継する周回性導波路回折格子と、前記周回性導波路回折格子にて中継された光信号が入力され、該光信号を電気信号に変換して出力する受信手段とを有する光波長スイッチにおいて、
前記受信手段は、予め通知された、前記周回性導波路回折格子にて中継された光信号の当該受信手段への入力レベルに応じて前記電気信号の出力レベルを一定とするためのパラメータを設定しておき、該パラメータを用いて、前記周回性導波路回折格子にて中継された光信号を電気信号に変換する可変制御手段を有することを特徴とする。
【００１３】
また、受信したパケット信号を光信号に変換して出力する光変換手段と、前記パケット信号の宛先毎に光減衰量が異なり、前記光変換手段から出力された光信号を中継する周回性導波路回折格子と、前記周回性導波路回折格子にて中継された光信号が入力され、該光信号を電気信号に変換して出力する受信手段とを有する光波長スイッチにおけるパケット中継方法であって、
前記周回性導波路回折格子にて中継された光信号の前記受信手段への入力パワーが一定になるように、前記光減衰量に応じて前記光信号のパワーを制御する。
【００１４】
また、受信したパケット信号を光信号に変換して出力する光変換手段と、前記パケット信号の宛先毎に光減衰量が異なり、前記光変換手段から出力された光信号を中継する周回性導波路回折格子と、前記周回性導波路回折格子にて中継された光信号が入力され、該光信号を電気信号に変換して出力する受信手段とを有する光波長スイッチにおけるパケット中継方法であって、
前記受信手段が、予め通知された、前記周回性導波路回折格子にて中継された光信号の当該受信手段への入力レベルに応じて前記電気信号の出力レベルを一定とするためのパラメータを設定しておき、該パラメータを用いて、前記周回性導波路回折格子にて中継された光信号を電気信号に変換する。
【発明の効果】
【００１５】
以上説明したように本発明においては、周回性導波路回折格子にて中継された光信号の受信手段への入力パワーが一定になるように、光減衰量に応じて光信号のパワーを制御するパワー制御手段を設けたり、受信手段において、予め通知された、周回性導波路回折格子にて中継された光信号の受信手段への入力レベルに応じて電気信号の出力レベルを一定とするためのパラメータを設定しておき、このパラメータを用いて、周回性導波路回折格子にて中継された光信号を電気信号に変換する可変制御手段を設けたりすることにより、受信手段の構成を複雑化したり、受信手段のセッティングに時間をかけたりすることなく、周回性導波路回折格子における光減衰量のばらつきによる影響を回避することができる。
【図面の簡単な説明】
【００１６】
【図１】本発明の光波長スイッチの第１の実施の形態を示すブロック図であり、（ａ）は全体の構成を示す図、（ｂ）は（ａ）に示した受信器の構成を示す図である。
【図２】本発明の光波長スイッチの第２の実施の形態を示すブロック図であり、（ａ）は全体の構成を示す図、（ｂ）は（ａ）に示した受信器の構成を示す図である。
【図３】本発明の光波長スイッチの第３の実施の形態を示すブロック図であり、（ａ）は全体の構成を示す図、（ｂ）は（ａ）に示した受信器の構成を示す図である。
【図４】本発明の光波長スイッチの第４の実施の形態を示すブロック図であり、（ａ）は全体の構成を示す図、（ｂ）は（ａ）に示した受信器の構成を示す図である。
【図５】一般的な光波長スイッチの構成例を示すブロック図であり、（ａ）は全体の構成を示す図、（ｂ）は（ａ）に示した受信器の構成を示す図である。
【発明を実施するための形態】
【００１７】
以下に、本発明の実施の形態について図面を参照して説明する。
【００１８】
（第１の実施の形態）
図１は、本発明の光波長スイッチの第１の実施の形態を示すブロック図であり、（ａ）は全体の構成を示す図、（ｂ）は（ａ）に示した受信器５０の構成を示す図である。
【００１９】
本形態は図１（ａ）に示すように、送信されてくるパケット信号をその宛先毎に受信するバッファ１０−１〜１０−ｎと、バッファ１０−１〜１０−ｎのそれぞれに対応して設けられ、バッファ１０−１〜１０−ｎに一時蓄積されて出力されたパケット信号を、その宛先に応じた波長を有する光信号に変換して出力する光変換手段となる波長可変レーザ・変換器２０−１〜２０−ｎと、パケット信号の宛先とそのパケット信号が変換される光信号の波長とが対応づけられた宛先・波長テーブル３１に基づいて、波長可変レーザ・変換器２０−１〜２０−ｎに対して波長制御パラメータを与える制御部３０と、波長可変レーザ・変換器２０−１〜２０−ｎから出力された光信号を中継する周回性導波路回折格子４０と、周回性導波路回折格子４０にて中継された光信号が入力され、入力された光信号を電気信号に変換して出力する受信器５０とから構成されている。さらに本形態においては、制御部３０は、周回性導波路回折格子４０におけるパケット信号の宛先毎の光減衰量が登録された宛先・光減衰量テーブル３３と、光信号のパワーと光信号をそのパワーにするためのパラメータとが対応づけて登録されたパワーテーブル３２とに基づいて、波長可変レーザ・変換器２０−１〜２０−ｎに対して、パケット信号が変換される光信号のパワーを一定のパワーにするためのパラメータを与える。また、受信器５０は図１（ｂ）に示すように、入力された光信号を電流値に変換して出力するフォトダイオード５１と、フォトダイオード５１から出力された電流値を電圧に変換して出力するトランスインピーダンスアンプ５２と、トランスインピーダンスアンプ５２から出力された電圧を増幅して出力するリミッタアンプ５３とから構成されており、トランスインピーダンスアンプ５２及びリミッタアンプ５３には、アンプ５２ａ，５３ａがそれぞれ設けられている。
【００２０】
以下に、上記のように構成された光波長スイッチ１における光パケット受信方法について説明する。
【００２１】
上記のように構成された光波長スイッチ１にて電気信号によるパケット信号が受信されると、まず、受信されたパケット信号がパケット信号毎にバッファ１０−１〜１０−ｎに一時蓄積される。この際、バッファ１０−１〜１０−ｎから、一時蓄積しているパケット信号の宛先情報が制御部３０にて取得される。
【００２２】
バッファ１０−１〜１０−ｎに一時蓄積されたパケット信号は、波長可変レーザ・変調器２０−１〜２０−ｎに送られる。
【００２３】
この際、制御部３０においては、まず、宛先・光減衰量テーブル３３が参照され、バッファ１０−１〜１０−ｎから取得された宛先情報に対応する周回性導波路回折格子４０における光減衰量が認識される。周回性導波路回折格子４０においては、中継する光信号の光減衰量がパケット信号の宛先毎に異なるため、その減衰量が事前に測定され、宛先・光減衰量テーブル３３に登録されている。
【００２４】
次に、制御部３０において、受信器５０にて決められた受信レベルとなる、光信号の受信器５０への入力レベルと、パケット信号に対応する光減衰量とを用いて、下記式により波長可変レーザ・変調器２０−１〜２０−ｎにてパケット信号から変換されて出力される光信号のパワーが算出される。
【００２５】
（受信レベル）＋（光減衰量）＝（波長可変レーザ・変調器２０−１〜２０−ｎからの光信号のパワー）
さらに、制御部３０において、パワーテーブル３２が参照され、波長可変レーザ・変調器２０−１〜２０−ｎから出力される光信号のパワーを、算出されたパワーとするためのパラメータが認識される。
【００２６】
また、制御部３０においは、宛先・波長テーブル３１が参照され、バッファ１０−１〜１０−ｎから取得した宛先情報に対応する波長が認識される。
【００２７】
そして、制御部３０にて認識された波長に応じたパラメータと、波長可変レーザ・変調器２０−１〜２０−ｎから出力される光信号のパワーを算出されたパワーとするためのパラメータとを含む波長・パワー制御パラメータが、制御部３０から波長可変レーザ・変調器２０−１〜２０−ｎに与えられる。
【００２８】
すると、波長可変レーザ・変調器２０−１〜２０−ｎにおいて、バッファ１０−１〜１０−ｎから送られてきたパケット信号が、制御部３０から与えられた波長・パワー制御パラメータに応じた波長を有し、制御部３０から与えられた波長・パワー制御パラメータに応じたパワーの光信号に変換される。これにより、波長可変レーザ・変調器２０−１〜２０−ｎにおいて、バッファ１０−１〜１０−ｎから送られてきたパケット信号が変換された光信号のパワーが、周回性導波路回折格子４０における光減衰量に応じて制御されることになる。すなわち、本形態においては、波長可変レーザ・変調器２０−１〜２０−ｎに、周回性導波路回折格子４０における光減衰量に応じて光信号のパワーを制御するパワー制御手段が内蔵されている。
【００２９】
波長可変レーザ・変調器２０−１〜２０−ｎにて変換された光信号は、波長可変レーザ・変調器２０−１〜２０−ｎから出力され、周回性導波路回折格子４０に送られることになるが、そのパワーは、周回性導波路回折格子４０における光減衰量に応じて互いに異なっており、パケット信号の宛先に応じて周回性導波路回折格子４０における光減衰量が大きな光信号についてはそのパワーが大きく、また、周回性導波路回折格子４０における光減衰量が小さな光信号についてはそのパワーが小さくなっている。
【００３０】
周回性導波路回折格子４０に送られた光信号は、周回性導波路回折格子４０にてその光減衰量によって減衰して中継され、受信器５０に入力される。この際、周回性導波路回折格子４０にて中継された光信号は、周回性導波路回折格子４０におけるパケット信号の宛先に応じた光減衰量だけ減衰しているが、波長可変レーザ・変調器２０−１〜２０−ｎにおいて、周回性導波路回折格子４０において光信号のパワーが減衰した場合でも、受信器５０への入力パワーが一定となるように光信号のパワーが制御されているため、受信器５０への入力パワーは、宛先によらずに一定のものとなる。
【００３１】
周回性導波路回折格子４０にて中継された光信号が受信器５０に入力されると、受信器５０において、入力された光信号が電気信号に変換されて出力される。
【００３２】
このように本形態においては、パケット信号を光信号に変換する波長可変レーザ・変調器２０−１〜２０−ｎにおいて、波長可変レーザ・変調器２０−１〜２０−ｎから出力された光信号のパワーが、周回性導波路回折格子４０におけるパケット信号の宛先毎に異なる光減衰量によって減衰した場合でも、受信器５０への入力レベルが一定となるようなものに制御されるので、受信器５０の構成を複雑化したり、受信器５０のセッティングに時間をかけたりすることなく、周回性導波路回折格子４０における光減衰量のばらつきによる影響を回避することができる。
【００３３】
（第２の実施の形態）
図２は、本発明の光波長スイッチの第２の実施の形態を示すブロック図であり、（ａ）は全体の構成を示す図、（ｂ）は（ａ）に示した受信器１５０の構成を示す図である。
【００３４】
本形態は図２に示すように、第１の実施の形態に示したものに対して、周回性導波路回折格子１４０にて中継された光信号の受信器１５０への入力パワーを制御するパワー制御手段が、波長可変レーザ・変調器１２０−１〜１２０−ｎのそれぞれに対応して波長可変レーザ・変調器１２０−１〜１２０−ｎと周回性導波路回折格子１４０との間にパワー制御器１６０−１〜１６０−ｎとして設けられている点が異なるものである。
【００３５】
以下に、上記のように構成された光波長スイッチ１０１における光パケット受信方法について説明する。
【００３６】
上記のように構成された光波長スイッチ１０１にて電気信号によるパケット信号が受信されると、まず、受信されたパケット信号がパケット信号毎にバッファ１１０−１〜１１０−ｎに一時蓄積される。この際、バッファ１１０−１〜１１０−ｎから、一時蓄積しているパケット信号の宛先情報が制御部１３０にて取得される。
【００３７】
バッファ１１０−１〜１１０−ｎに一時蓄積されたパケット信号は、波長可変レーザ・変調器１２０−１〜１２０−ｎに送られる。
【００３８】
この際、制御部１３０においては、宛先・波長テーブル１３１が参照され、バッファ１１０−１〜１１０−ｎから取得した宛先情報に対応する波長が認識される。そして、制御部１３０にて認識された波長に応じた波長制御パラメータが、制御部１３０から波長可変レーザ・変調器１２０−１〜１２０−ｎに与えられる。
【００３９】
すると、波長可変レーザ・変調器１２０−１〜１２０−ｎにおいて、バッファ１１０−１〜１１０−ｎから送られてきたパケット信号が、制御部１３０から与えられた波長制御パラメータに応じた波長を有する光信号に変換されて出力される。
【００４０】
また、制御部１３０においては、宛先・光減衰量テーブル１３３が参照され、バッファ１１０−１〜１１０−ｎから取得された宛先情報に対応する周回性導波路回折格子１４０における光減衰量が認識される。
【００４１】
次に、制御部１３０において、波長可変レーザ・変調器１２０−１〜１２０−ｎから出力される光信号のパワーと、受信器１５０にて決められた受信レベルとなる、光信号の受信器１５０への入力レベルと、パケット信号に対応する光減衰量とを用いて、下記式により、パワー制御器１６０−１〜１６０−ｎにおける光信号のパワー可変量が算出される。
【００４２】
（波長可変レーザ・変調器１２０−１〜１２０−ｎからの光信号のパワー）−（光減衰量）−（受信レベル）＝（パワー制御器１６０−１〜１６０−ｎにおける光信号のパワー可変量）
さらに、制御部１３０において、パワーテーブル１３２が参照され、算出されたパワー可変量に対応するパワー制御パラメータが認識される。
【００４３】
そして、制御部１３０にて認識されたパワー制御パラメータが、制御部１３０からパワー制御器１６０−１〜１６０−ｎに与えられる。
【００４４】
すると、パワー制御器１６０−１〜１６０−ｎにおいて、波長可変レーザ・変調器１２０−１〜１２０−ｎから出力された光信号のパワーが、制御器１３０から与えられたパワー制御パラメータに応じたパワーに制御される。これにより、パワー制御器１６０−１〜１６０−ｎにおいて、波長可変レーザ・変調器１２０−１〜１２０−ｎから出力された光信号のパワーが、周回性導波路回折格子１４０における光減衰量に応じて制御されることになる。
【００４５】
パワー制御器１６０−１〜１６０−ｎにてパワーが制御された光信号は、周回性導波路回折格子１４０に送られることになるが、そのパワーは、周回性導波路回折格子１４０における光減衰量に応じて互いに異なっており、パケット信号の宛先に応じて周回性導波路回折格子１４０における光減衰量が大きな光信号についてはそのパワーが大きく、また、周回性導波路回折格子１４０における光減衰量が小さな光信号についてはそのパワーが小さくなっている。
【００４６】
周回性導波路回折格子１４０に送られた光信号は、周回性導波路回折格子１４０にてその光減衰量によって減衰して中継され、受信器１５０に入力される。この際、周回性導波路回折格子１４０にて中継された光信号は、周回性導波路回折格子１４０におけるパケット信号の宛先に応じた光減衰量だけ減衰しているが、パワー制御器１６０−１〜１６０−ｎにおいて、周回性導波路回折格子１４０において光信号のパワーが減衰した場合でも、受信器１５０への入力パワーが一定となるように光信号のパワーが制御されているため、受信器１５０への入力パワーは、宛先によらずに一定のものとなる。
【００４７】
周回性導波路回折格子１４０にて中継された光信号が受信器１５０に入力されると、受信器１５０において、入力された光信号が電気信号に変換されて出力される。
【００４８】
このように本形態においては、パケット信号を光信号に変換する波長可変レーザ・変調器１２０−１〜１２０−ｎと周回性導波路回折格子１４０との間に設けられたパワー制御器１６０−１〜１６０−ｎにおいて、波長可変レーザ・変調器１２０−１〜１２０−ｎから出力された光信号のパワーが、周回性導波路回折格子１４０におけるパケット信号の宛先毎に異なる光減衰量によって減衰した場合でも、受信器１５０への入力レベルが一定となるようなものに制御されるので、受信器１５０の構成を複雑化したり、受信器１５０のセッティングに時間をかけたりすることなく、周回性導波路回折格子１４０における光減衰量のばらつきによる影響を回避することができる。
【００４９】
（第３の実施の形態）
図３は、本発明の光波長スイッチの第３の実施の形態を示すブロック図であり、（ａ）は全体の構成を示す図、（ｂ）は（ａ）に示した受信器２５０の構成を示す図である。
【００５０】
本形態は図３に示すように、第１の実施の形態に示したものに対して、周回性導波路回折格子２４０にて中継された光信号の受信器２５０への入力パワーを制御するパワー制御手段が、周回性導波路回折格子２４０の後段にパワー制御器２６０として設けられている点が異なるものである。
【００５１】
以下に、上記のように構成された光波長スイッチ２０１における光パケット受信方法について説明する。
【００５２】
上記のように構成された光波長スイッチ２０１にて電気信号によるパケット信号が受信されると、まず、受信されたパケット信号がパケット信号毎にバッファ２１０−１〜２１０−ｎに一時蓄積される。この際、バッファ２１０−１〜２１０−ｎから、一時蓄積しているパケット信号の宛先情報が制御部２３０にて取得される。
【００５３】
バッファ２１０−１〜２１０−ｎに一時蓄積されたパケット信号は、波長可変レーザ・変調器２２０−１〜２２０−ｎに送られる。
【００５４】
この際、制御部２３０においては、宛先・波長テーブル２３１が参照され、バッファ２１０−１〜２１０−ｎから取得した宛先情報に対応する波長が認識される。そして、制御部２３０にて認識された波長に応じた波長制御パラメータが、制御部２３０から波長可変レーザ・変調器２２０−１〜２２０−ｎに与えられる。
【００５５】
すると、波長可変レーザ・変調器２２０−１〜２２０−ｎにおいて、バッファ２１０−１〜２１０−ｎから送られてきたパケット信号が、制御部２３０から与えられた波長制御パラメータに応じた波長を有する光信号に変換されて出力される。
【００５６】
また、制御部２３０においては、宛先・光減衰量テーブル２３３が参照され、バッファ２１０−１〜２１０−ｎから取得された宛先情報に対応する周回性導波路回折格子２４０における光減衰量が認識される。
【００５７】
次に、制御部２３０において、波長可変レーザ・変調器２２０−１〜２２０−ｎから出力される光信号のパワーと、受信器２５０にて決められた受信レベルとなる、光信号の受信器２５０への入力レベルと、パケット信号に対応する光減衰量とを用いて、下記式により、パワー制御器２６０における光信号のパワー可変量が算出される。
【００５８】
（波長可変レーザ・変調器２２０−１〜２２０−ｎからの光信号のパワー）−（光減衰量）−（受信レベル）＝（パワー制御器２６０における光信号のパワー可変量）
さらに、制御部２３０において、パワーテーブル２３２が参照され、算出されたパワー可変量に対応するパワー制御パラメータが認識される。
【００５９】
そして、制御部２３０にて認識されたパワー制御パラメータが、制御部２３０からパワー制御器２６０に与えられる。
【００６０】
波長可変レーザ・変調器２２０−１〜２２０−ｎから出力された光信号は、周回性導波路回折格子２４０に送られ、周回性導波路回折格子２４０において、その宛先毎に異なる光減衰量で減衰して中継される。そのため、周回性導波路回折格子２４０にて中継された光信号は、そのパワーが宛先毎に異なるものとなっている。
【００６１】
周回性導波路回折格子２４０にて中継された光信号は、パワー制御器２６０に入力される。
【００６２】
すると、パワー制御器２６０において、周回性導波路回折格子２４０にて中継された光信号のパワーが、制御器２３０から与えられたパワー制御パラメータに応じたパワーに制御される。これにより、パワー制御器２６０において、周回性導波路回折格子２４０にて中継された光信号のパワーが、周回性導波路回折格子２４０における光減衰量に応じて制御され、宛先によらずに一定のものとなる。
【００６３】
パワー制御器２６０にてパワーが制御された光信号は、受信器２５０に入力され、受信器２５０において電気信号に変換されて出力される。
【００６４】
このように本形態においては、周回性導波路回折格子２４０の後段に設けられたパワー制御器２６０において、波長可変レーザ・変調器２２０−１〜２２０−ｎから出力された光信号のパワーが、周回性導波路回折格子２４０におけるパケット信号の宛先毎に異なる光減衰量によって減衰した場合でも、受信器２５０への入力レベルが一定となるようなものに制御されるので、受信器２５０の構成を複雑化したり、受信器２５０のセッティングに時間をかけたりすることなく、周回性導波路回折格子２４０における光減衰量のばらつきによる影響を回避することができる。
【００６５】
（第４の実施の形態）
図４は、本発明の光波長スイッチの第４の実施の形態を示すブロック図であり、（ａ）は全体の構成を示す図、（ｂ）は（ａ）に示した受信器３５０の構成を示す図である。
【００６６】
本形態は図４に示すように、第１の実施の形態に示したものに対して、パワー制御手段が設けられておらず、受信器３５０に、制御部３３０から通知された、周回性導波路回折格子３４０にて中継された光信号の受信器３５０への入力レベルに応じて、受信器３５０からの電気信号の出力レベルを一定とするための可変制御手段となる演算部３５４及び可変抵抗３５２ｂを有するものである点が異なるものである。
【００６７】
以下に、上記のように構成された光波長スイッチ３０１における光パケット受信方法について説明する。
【００６８】
上記のように構成された光波長スイッチ３０１にて電気信号によるパケット信号が受信されると、まず、受信されたパケット信号がパケット信号毎にバッファ３１０−１〜３１０−ｎに一時蓄積される。この際、バッファ３１０−１〜３１０−ｎから、一時蓄積しているパケット信号の宛先情報が制御部３３０にて取得される。
【００６９】
バッファ３１０−１〜３１０−ｎに一時蓄積されたパケット信号は、波長可変レーザ・変調器３２０−１〜３２０−ｎに送られる。
【００７０】
この際、制御部３３０においては、宛先・波長テーブル３３１が参照され、バッファ３１０−１〜３１０−ｎから取得した宛先情報に対応する波長が認識される。そして、制御部３３０にて認識された波長に応じた波長制御パラメータが、制御部３３０から波長可変レーザ・変調器３２０−１〜３２０−ｎに与えられる。
【００７１】
すると、波長可変レーザ・変調器３２０−１〜３２０−ｎにおいて、バッファ３１０−１〜３１０−ｎから送られてきたパケット信号が、制御部３３０から与えられた波長制御パラメータに応じた波長を有する光信号に変換されて出力される。
【００７２】
また、制御部３３０においては、宛先・光減衰量テーブル３３３が参照され、バッファ３１０−１〜３１０−ｎから取得された宛先情報に対応する周回性導波路回折格子３４０における光減衰量が認識される。
【００７３】
次に、制御部３３０において、波長可変レーザ・変調器３２０−１〜３２０−ｎから出力される光信号のパワーと、パケット信号に対応する光減衰量とを用いて、下記式により、受信器３５０に入力される光信号の受信レベルが算出される。
【００７４】
（波長可変レーザ・変調器３２０−１〜３２０−ｎからの光信号のパワー）−（光減衰量）＝（受信器３５０における受信レベル）
そして、算出された受信器３５０における受信レベル情報が、制御部３３０から受信器３５０に与えられる。
【００７５】
波長可変レーザ・変調器３２０−１〜３２０−ｎから出力された光信号は、周回性導波路回折格子３４０に送られ、周回性導波路回折格子３４０において、その宛先毎に異なる光減衰量で減衰して中継される。そのため、周回性導波路回折格子３４０にて中継された光信号は、そのパワーが宛先毎に異なるものとなっている。
【００７６】
周回性導波路回折格子３４０にて中継された光信号は、受信器３５０に入力される。
【００７７】
受信器３５０においては、受信器３５０から出力されるパケット信号の出力電圧が一定となるように、トランスインピーダンスアンプ３５２の出力電圧が予め設定されており、また、受信レベル毎の電流値が受信レベル・電流値テーブル３５４ａに登録されている。そして、演算部３５４において、制御部３３０から与えられた受信レベルに対応する電流値が受信レベル・電流値テーブル３５４ａから取り出され、トランスインピーダンスアンプ３５２の出力電圧が、設定された出力電圧となるようなパラメータとなる抵抗値が算出され、可変抵抗３５２ｂの抵抗値がその値に設定される。
【００７８】
このように可変抵抗３５２ｂの抵抗値が、制御部３３０から与えられた受信レベル情報によって設定された状態で、周回性導波路回折格子３４０にて中継された光信号が受信器３５０に入力されると、周回性導波路回折格子３４０にて中継された光信号が、周回性導波路回折格子３４０におけるパケット信号の宛先毎に異なる光減衰量によって減衰した場合でも、一定の出力レベルを有する電気信号に変換されて出力されることになる。
【００７９】
このように本形態においては、周回性導波路回折格子３４０にて中継された光信号を電気信号に変換して出力する受信器３５０において、周回性導波路回折格子３４０にて中継された光信号が入力される前に、制御部３３０から予め通知された、周回性導波路回折格子３４０にて中継された光信号の受信器３５０への入力レベルに応じて、受信器３５０からの電気信号の出力レベルを一定とするための抵抗値を設定しておき、この抵抗値を用いて、周回性導波路回折格子３４０にて中継された光信号を電気信号に変換する制御が行われるので、受信器３５０の構成を複雑化したり、受信器３５０のセッティングに時間をかけたりすることなく、周回性導波路回折格子３４０における光減衰量のばらつきによる影響を回避することができる。
【符号の説明】
【００８０】
１，１０１，２０１，３０１    光波長スイッチ
１０−１〜１０−ｎ，１１０−１〜１１０−ｎ，２１０−１〜２１０−ｎ，３１０−１〜３１０−ｎ    バッファ
２０−１〜２０−ｎ，１２０−１〜１２０−ｎ，２２０−１〜２２０−ｎ，３２０−１〜３２０−ｎ    波長可変レーザ・変調器
３０，１３０，２３０，３３０    制御部
３１，１３１，２３１，３３１    宛先・波長テーブル
３２，１３２，２３２    パワーテーブル
３３，１３３，２３３，３３３    宛先・光減衰量テーブル
４０，１４０，２４０，３４０    周回性導波路回折格子
５０，１５０，２５０，３５０    受信器
５１，１５１，２５１，３５１    フォトダイオード
５２，１５２，２５２，３５２    トランスインピーダンスアンプ
５２ａ，５３ａ，１５２ａ，１５３ａ，２５２ａ，２５３ａ，３５２ａ，３５３ａ    アンプ
５３，１５３，２５３，３５３    リミッタアンプ
１６０−１〜１６０−ｎ，２６０    パワー制御器
３５２ｂ    可変抵抗
３５４    演算部
３５４ａ    受信レベル・電流値テーブル
【図１】
2013005016.tif 000003
【図２】
2013005016.tif 000004
【図３】
2013005016.tif 000005
【図４】
2013005016.tif 000006
【図５】
2013005016.tif 000007